(57)【要約】【課題】リンクやレバーなどの中間伝動構造を使用する必要もなくトリマーユニットの姿勢を確実に切換えることができ、従ってトリマーユニットの姿勢切換構造を著しく単純化してコストを削減できる電気かみそりを提供する。【解決手段】本体ケース１の外面にトリマーユニット３と、スライドノブ３３を設ける。トリマーユニット３は揺動軸２８を介してスライドノブ３３に連結されて、作動姿勢と待機姿勢との間で起伏揺動できる。トリマーユニット３と本体ケース１の対向面に姿勢切換構造を設ける。姿勢切換構造は、トリマーユニット３側の受動片７０と、本体ケース１側の切換えカム体６２を含む。スライドノブ３３と共にスライド移動する受動片７０を切換えカム体６２で受止めて、受動片７０を揺動軸２８の回りに回動操作し、トリマーユニット３を待機姿勢から作動姿勢に切換える。【選択図】図１
2015123344.tif 000002
【特許請求の範囲】
【請求項１】
本体ケース（１）の外面にトリマーユニット（３）と、往復スライドしてトリマーユニット（３）の姿勢を切換え操作するスライドノブ（３３）とが設けられており、
トリマーユニット（３）は揺動軸（２８）を介してスライドノブ（３３）と連結されて、その切刃部がスライドノブ（３３）の外面に突出する作動姿勢と、全体が本体ケース（１）の外面に沿って格納される待機姿勢との間で起伏揺動できるようスライドノブ（３３）で支持されており、
スライドノブ（３３）およびトリマーユニット（３）と本体ケース（１）の対向面に、トリマーユニット（３）の姿勢を作動姿勢に切換える姿勢切換構造が設けられており、
姿勢切換構造が、トリマーユニット（３）に設けた受動片（７０）と、受動片（７０）のスライド軌跡に臨んで本体ケース（１）に設けた切換えカム体（６２）を含み、
スライドノブ（３３）がスライド操作される状態において、スライド移動する受動片（７０）を切換えカム体（６２）で受止めることにより、受動片（７０）を揺動軸（２８）の回りに回動操作して、トリマーユニット（３）を待機姿勢から作動姿勢に切換えることを特徴とする電気かみそり。
【請求項２】
トリマーユニット（３）と本体ケース（１）の対向面のそれぞれに、トリマー側ストッパー（７９）と本体側ストッパー（７８）とが設けられており、
トリマーユニット（３）が待機姿勢から作動姿勢に切換わるのに連動して、トリマー側ストッパー（７９）と本体側ストッパー（７８）とが互いに接当して、トリマーユニット（３）を作動姿勢に保持固定している請求項１に記載の電気かみそり。
【請求項３】
受動片（７０）の外周面に連続してトリマー側ストッパー（７９）が設けられ、切換えカム体（６２）の外周面に連続して本体側ストッパー（７８）が設けてある請求項２に記載の電気かみそり。
【請求項４】
トリマーユニット（３）の本体ケース（１）との対向面に、本体ケース（１）へ向かって突出する受動片（７０）が設けられており、
受動片（７０）の突端寄りに切換えカム体（６２）のカム面（７２）で受止められる受動部（７３）が設けてある請求項２または３に記載の電気かみそり。
【請求項５】
本体ケース（１）のトリマーユニット（３）との対向面に、切換えカム体（６２）がトリマーユニット（３）へ向かって突設されており、
切換えカム体（６２）のカム面（７２）が、切換えカム体（６２）の下面に設けられる第１カム面（７４）と、第１カム面（７４）に連続して傾斜する第２カム面（７５）とで構成してある請求項４に記載の電気かみそり。
【請求項６】
トリマーユニット（３）が固定刃（２１）および可動刃（２２）と、これら両者を支持するトリマーベース（２３）を備えており、
トリマーベース（２３）の左右方向の一側端に受動片（７０）が設けてある請求項１から５のいずれかひとつに記載の電気かみそり。
【請求項７】
トリマーベース（２３）の左右方向の両側端に、トリマーベース（２３）の構造強度を増強する補強リブ（２７）が設けられており、
左右いずれか一方の補強リブ（２７）に受動片（７０）が設けてある請求項６に記載の電気かみそり。
【請求項８】
本体ケース（１）のトリマーユニット（３）との対向面に、切換えカム体（６２）がトリマーユニット（３）へ向かって突設されており、
受動片（７０）が、スライドノブ（３３）に形成したスライド溝（４４）を介して本体ケース（１）の側へ突出しており、
スライドノブ（３３）がスライド操作される状態において、切換えカム体（６２）がスライド溝（４４）をスライド案内している請求項４から７のいずれかひとつに記載の電気かみそり。
【請求項９】
スライドノブ（３３）がノブ本体（３５）と、ノブ本体（３５）の背面に固定される背面カバー（３６）とで構成されており、
背面カバー（３６）にスライド溝（４４）が形成してある請求項８に記載の電気かみそり。
【請求項１０】
トリマーユニット（３）と本体ケース（１）との間に、トリマーユニット（３）を作動姿勢から待機姿勢に復帰操作する姿勢復帰構造が設けてある請求項１から９のいずれかひとつに記載の電気かみそり。
【請求項１１】
姿勢復帰構造が、トリマーユニット（３）に設けた復帰受動片（７１）と、復帰受動片（７１）のスライド軌跡に臨んで本体ケース（１）に設けた復帰カム体（６１）を含み、
スライドノブ（３３）がスライド操作される状態において、スライド移動する復帰受動片（７１）を復帰カム体（６１）で受止めることにより、復帰受動片（７１）を揺動軸（２８）の回りに回動操作して、トリマーユニット（３）を作動姿勢から待機姿勢に切換える請求項１０に記載の電気かみそり。
【請求項１２】
姿勢復帰構造が、受動片（７０）と本体ケース（１）との間に配置した復帰ばね（９２）で構成されている請求項１０に記載の電気かみそり。
【請求項１３】
スライドノブ（３３）が、本体ケース（１）の内部に設けたモーター（４）への通電をオン・オフするスイッチノブを兼ねており、
スライドノブ（３３）は、オフ位置と、オフ位置より上側のオン位置と、オン位置より上側のトリマー位置とにスライド移動でき、
スライドノブ（３３）がオフ位置に位置している状態において、トリマーユニット（３）が復帰ばね（９２）のばね力で待機姿勢に位置保持されている請求項１２に記載の電気かみそり。
【請求項１４】
復帰ばね（９２）が引っ張りコイルばねで構成されて、その両端が本体ケース（１）側の固定連結部（９３）と、トリマーユニット（３）側の可動連結部（９４）にそれぞれ掛止されており、
スライドノブ（３３）がオフ位置、オン位置、トリマー位置の各位置にあるときの、固定連結部（９３）と可動連結部（９４）との間の距離を（Ｌ１、Ｌ２、Ｌ３）とするとき、
固定連結部（９３）と可動連結部（９４）が、不等式（Ｌ２＜Ｌ１＜Ｌ３）を満足する位置に設けてある請求項１２または１３に記載の電気かみそり。
【請求項１５】
復帰受動片（７１）の外周面に連続してトリマー側規制部（８３）が設けられ、復帰カム体（６１）の外周面に連続して本体側規制部（８４）が設けられており、
トリマーユニット（３）が待機姿勢に格納された状態において、トリマー側規制部（８３）と本体側規制部（８４）とが互いに接当して、トリマーユニット（３）を作動姿勢に保持固定している請求項１１に記載の電気かみそり。
【請求項１６】
トリマーユニット（３）が固定刃（２１）および可動刃（２２）と、これら両者を支持するトリマーベース（２３）を備えており、
トリマーベース（２３）の左右方向の一側端に復帰受動片（７１）が設けてある請求項１５に記載の電気かみそり。
【請求項１７】
トリマーベース（２３）の左右方向の一側端に受動片（７０）が設けてあり、トリマーベース（２３）の左右方向の他側端に復帰受動片（７１）が設けてある請求項１５または１６に記載の電気かみそり。
【請求項１８】
トリマーユニット（３）と対向する本体ケース（１）のケース壁に駆動開口（１８）が設けられて、往復動力をトリマーユニット（３）へ出力する駆動アーム（１６）が駆動開口（１８）に臨ませてあり、
スライドノブ（３３）はノブ本体（３５）と、ノブ本体（３５）の背面に固定される背面カバー（３６）とで構成されており、
トリマーユニット（３）を作動姿勢に切換えた状態において、駆動開口（１８）が背面カバー（３６）で覆われている請求項１から１７のいずれかひとつに記載の電気かみそり。
【請求項１９】
切換えカム体（６２）の下側にガイド溝（６３）が設けられており、
トリマーユニット（３）から本体ケース（１）へ向かって突出した受動片（７０）の左右側面を、前記ガイド溝（６３）の溝側壁でスライド案内している請求項１８に記載の電気かみそり。
【請求項２０】
トリマーユニット（３）の揺動軸（２８）が、トリマーユニット（３）を構成するトリマーベース（２３）と一体に設けられており、
ノブ本体（３５）の内面両側に設けられて揺動軸（２８）を軸支する軸受溝（４０）が、背面カバー（３６）に向かって開口するＵ字溝状に形成されており、
揺動軸（２８）を軸受溝（４０）に嵌込み、ノブ本体（３５）と背面カバー（３６）を組付けた状態において、軸受溝（４０）の溝開口が背面カバー（３６）に設けた蓋部（５２）で塞がれている請求項１８または１９に記載の電気かみそり。
【請求項２１】
蓋部（５２）に、軸受溝（４０）の内部に入込んで揺動軸（２８）の周面を受け止める突起（５３）が設けてある請求項２０に記載の電気かみそり。
【請求項２２】
背面カバー（３６）に、スライドノブ（３３）をオフ位置においてスライド不能にロック保持するロック構造の弾性ロック腕（４５）と、スライドノブ（３３）をオフ位置、オン位置、トリマー位置の各位置において位置保持する節度構造の弾性腕（４６）とが設けられており、
背面カバー（３６）に、弾性ロック腕（４５）を弾性変形させてロック解除操作する解除ボタン（４８）と、スイッチ端子（５０）を装着するための端子装着部（４７）とが設けてある請求項１８から２１のいずれかひとつに記載の電気かみそり。
【請求項２３】
ノブ本体（３５）と背面カバー（３６）とが、背面カバー（３６）の周縁の複数個所に設けた固定部（Ｍ）で一体化されており、
背面カバー（３６）における弾性ロック腕（４５）と弾性腕（４６）の配置位置が、左右で対を為す固定部（Ｍ）を含む締結領域（Ｒ）で上下に区分してある請求項２２に記載の電気かみそり。
【請求項２４】
弾性腕（４６）が左右で対を為す固定部（Ｍ）を含む締結領域（Ｒ）の下方の一側に配置されており、
端子装着部（４７）が、弾性腕（４６）の側方に隣接し、かつ締結領域（Ｒ）に近接する状態で背面カバー（３６）に設けてある請求項２３に記載の電気かみそり。
【請求項２５】
本体ケース（１）のケース壁に、端子装着部（４７）を往復スライド可能に案内する端子ガイド溝（５９）が形成されており、
端子ガイド溝（５９）の内面内方に配置した回路基板（７）に、端子装着部（４７）に固定したスイッチ端子（５０）で接続状態が切換えられる固定端子（５１）が設けてある請求項２３または２４に記載の電気かみそり。
【請求項２６】
端子装着部（４７）と対向するノブ本体（３５）の内面に、スイッチ端子（５０）の弾性に抗して端子装着部（４７）を受止める規制体（８５）が設けてある請求項２２から２５のいずれかひとつに記載の電気かみそり。
【請求項２７】
本体ケース（１）のケース壁に、スライドノブ（３３）を往復スライド自在に案内する複数のノブガイド溝（５７）が形成されており、
ノブ本体（３５）の内面に前記ノブガイド溝（５７）で案内されるスライド突起（３８）が設けられており、
スライド突起（３８）の突端にノブガイド溝（５７）の溝内縁に係合して、スライドノブ（３３）を本体ケース（１）と連結する連結爪（３９）が形成してある請求項１８から２６のいずれかひとつに記載の電気かみそり。
【発明の詳細な説明】
【技術分野】
【０００１】
本発明は、トリマーユニットを備えている電気かみそりに関する。本発明に係るトリマーユニットは、本体ケースに設けたスライドノブで起伏揺動可能に支持されており、スライドノブを往復操作することにより作動姿勢と待機姿勢とに切換えることができる。
【背景技術】
【０００２】
この種のトリマーユニットを備えている電気かみそりは、例えば特許文献１に公知である。そこでは、ボディの背面上部に配置したトリマーブロックをトリマー取付台で起伏揺動可能に支持し、同ブロックの下方に配置した切換え摺動板を上下にスライド操作して、トリマーブロックの姿勢を収納姿勢と使用姿勢とに切換えている。使用姿勢に切換えられたトリマーブロックは、その切刃部がボディの背面から水平に突出する。切換え摺動板は、板体の上部左右に突出する取付アームと、取付アームの先端の外側方に設けられるボスを一体に備えており、このボスをトリマーブロックに係合連結することにより、切換え摺動板のスライド動作をトリマーブロックに伝えるようにしている。つまり、トリマーブロックは、中間伝動構造を介して切換え摺動板と連動可能に連結してある。
【０００３】
本出願人は、同様の電気かみそりを先に提案している（特許文献２）。そこでは、前ケースの上部に配置したきわ剃刃を前ケースで起伏揺動可能に支持し、きわ剃刃の下方に配置したスイッチノブを上下にスライド操作して、きわ剃刃の姿勢を待機姿勢と作動姿勢とに切換えている。スイッチノブは、オフ位置と、オフ位置から上方へ一段押上げスライドされたオン位置と、オン位置からさらに押上げスライドされたきわ剃位置に切換えることができ、スイッチノブがオン位置からきわ剃位置へスライドする動作を利用して、きわ剃刃を待機姿勢から作動姿勢に切換えている。そのために、前ケースの内部にスイッチノブに同行スライドするスライド板と、スライド板の動作を受継いで揺動動作に変換するリンクバーと、リンクバーの揺動動作をきわ剃刃に伝える切換えレバーなどの中間伝動構造を設けている。
【先行技術文献】
【特許文献】
【０００４】
【特許文献１】特開昭５５−２４０３５号公報（第３頁右下欄６〜１１行、第５図）
【特許文献２】特開２００７−１９５５８１号公報（段落番号００２０、図７）
【発明の概要】
【発明が解決しようとする課題】
【０００５】
特許文献１のトリマー装置によれば、トリマーブロックの全体をボディの背面上部に凹み形成した収納孔内に収容して、不使用時のトリマー刃を保護でき、さらに誤ってトリマー刃に接触して怪我するのを防止できる。しかし、弾性変形しやすい取付アームの先端に設けた小さなボスをトリマーブロックに係合連結して、切換え摺動板とトリマーブロックを連動可能に連結するので、例えばボディに落下衝撃が作用する場合などに、ボスが連結穴から離脱することがある。ボスが連結穴から離脱した場合には、トリマーブロックの周辺構造を分解してボスを係合連結したうえで、周辺構造を組立てなおす必要があり、一連の作業に多くの手間が掛かる。また、切換え摺動板とトリマーブロックの連結中心位置と、トリマーブロックの揺動中心位置との距離が小さいので、揺動軸部や連結軸部などの僅かな寸法のばらつきで起伏動作がぎくしゃくすることがあり、そのため、トリマー装置を備えたすべての電気かみそりにおいて、トリマーブロックを常に円滑に起伏揺動させるのが困難であった。切換え摺動板やトリマー基台などの中間伝動構造の成形精度を高めると、起伏動作がぎくしゃくするのをある程度は抑止できるが、コストが嵩んでしまう。
【０００６】
特許文献２のきわ剃刃構造によれば、スイッチノブをオン位置からきわ剃位置へスライド移動した状態においてきわ剃刃を作動姿勢に切換えて、振動子の往復動力をきわ剃刃に伝動できる。しかし、スイッチノブの押上げ動作をリンクバーで揺動動作に変換したのち、リンクバーの下方揺動動作を切換えレバーできわ剃刃に伝えるので、中間伝動構造などの構成部品点数が多く、しかも各部品の組立に余分な手間が掛かるため、電気かみそりの全体コストが嵩む。また、構成部品点数が多い分だけ集積誤差の影響を受けやすく、稀にきわ剃刃の起伏動作がぎくしゃくすることがあった。
【０００７】
本発明の目的は、リンクやレバーなどの中間伝動構造を使用する必要もなくトリマーユニットの姿勢を確実に切換えることができ、従ってトリマーユニットの姿勢切換構造を著しく単純化してコストを削減できる電気かみそりを提供することにある。
本発明の目的は、スライド動作を伝動するための中間伝動構造や連結構造を省略することができ、従って落下衝撃などを受けて連結部分が分離する余地がなく、トリマーユニットを常に円滑に起伏揺動できる電気かみそりを提供することにある。
【課題を解決するための手段】
【０００８】
本発明に係る電気かみそりは、本体ケース１の外面にトリマーユニット３と、往復スライドしてトリマーユニット３の姿勢を切換え操作するスライドノブ３３とが設けてある。トリマーユニット３は揺動軸２８を介してスライドノブ３３と連結されて、その切刃部がスライドノブ３３の外面に突出する作動姿勢と、全体が本体ケース１の外面に沿って格納される待機姿勢との間で起伏揺動できるようスライドノブ３３で支持されている。スライドノブ３３およびトリマーユニット３と本体ケース１の対向面に、トリマーユニット３の姿勢を作動姿勢に切換える姿勢切換構造を設ける。図１に示すように、姿勢切換構造は、トリマーユニット３に設けた受動片７０と、受動片７０のスライド軌跡に臨んで本体ケース１に設けた切換えカム体６２を含む。スライドノブ３３がスライド操作される状態において、スライド移動する受動片７０を切換えカム体６２で受止めることにより、受動片７０を揺動軸２８の回りに回動操作して、トリマーユニット３を待機姿勢から作動姿勢に切換えることを特徴とする。
【０００９】
トリマーユニット３と本体ケース１の対向面のそれぞれに、トリマー側ストッパー７９と本体側ストッパー７８とを設ける。トリマーユニット３が待機姿勢から作動姿勢に切換わるのに連動して、トリマー側ストッパー７９と本体側ストッパー７８とが互いに接当して、トリマーユニット３を作動姿勢に保持固定する。
【００１０】
受動片７０の外周面に連続してトリマー側ストッパー７９を設け、切換えカム体６２の外周面に連続して本体側ストッパー７８を設ける。
【００１１】
トリマーユニット３の本体ケース１との対向面に、本体ケース１へ向かって突出する受動片７０を設ける。受動片７０の突端寄りに切換えカム体６２のカム面７２で受止められる受動部７３を設ける。
【００１２】
本体ケース１のトリマーユニット３との対向面に、切換えカム体６２をトリマーユニット３へ向かって突設する。切換えカム体６２のカム面７２を、切換えカム体６２の下面に設けられる第１カム面７４と、第１カム面７４に連続して傾斜する第２カム面７５とで構成する。
【００１３】
図５に示すように、トリマーユニット３は固定刃２１および可動刃２２と、これら両者を支持するトリマーベース２３を備えている。トリマーベース２３の左右方向の一側端に受動片７０を設ける。
【００１４】
トリマーベース２３の左右方向の両側端に、トリマーベース２３の構造強度を増強する補強リブ２７を設ける。左右いずれか一方の補強リブ２７に受動片７０を設ける。
【００１５】
本体ケース１のトリマーユニット３との対向面に、切換えカム体６２をトリマーユニット３へ向かって突設する。受動片７０は、スライドノブ３３に形成したスライド溝４４を介して本体ケース１の側へ突出している。スライドノブ３３がスライド操作される状態において、切換えカム体６２でスライド溝４４をスライド案内する。
【００１６】
スライドノブ３３はノブ本体３５と、ノブ本体３５の背面に固定される背面カバー３６とで構成し、背面カバー３６にスライド溝４４を形成する。
【００１７】
トリマーユニット３と本体ケース１との間に、トリマーユニット３を作動姿勢から待機姿勢に復帰操作する姿勢復帰構造を設ける。
【００１８】
姿勢復帰構造は、トリマーユニット３に設けた復帰受動片７１と、復帰受動片７１のスライド軌跡に臨んで本体ケース１に設けた復帰カム体６１を含む。スライドノブ３３がスライド操作される状態において、スライド移動する復帰受動片７１を復帰カム体６１で受止めることにより、復帰受動片７１を揺動軸２８の回りに回動操作して、トリマーユニット３を作動姿勢から待機姿勢に切換える（図１４（ｂ）参照）。
【００１９】
別の姿勢復帰構造は、図１８に示すように受動片７０と本体ケース１との間に配置した復帰ばね９２で構成する。
【００２０】
スライドノブ３３は、本体ケース１の内部に設けたモーター４への通電をオン・オフするスイッチノブを兼ねている。スライドノブ３３は、オフ位置と、オフ位置より上側のオン位置と、オン位置より上側のトリマー位置とにスライド移動できる。スライドノブ３３がオフ位置に位置している状態において、トリマーユニット３は復帰ばね９２のばね力で待機姿勢に位置保持されている。
【００２１】
復帰ばね９２は引っ張りコイルばねで構成されて、その両端が本体ケース１側の固定連結部９３と、トリマーユニット３側の可動連結部９４にそれぞれ掛止されている。スライドノブ３３はオフ位置、オン位置、トリマー位置の各位置にあるときの、固定連結部９３と可動連結部９４との間の距離をＬ１、Ｌ２、Ｌ３とするとき、固定連結部９３と可動連結部９４を、不等式（Ｌ２＜Ｌ１＜Ｌ３）を満足する位置に設ける。
【００２２】
復帰受動片７１の外周面に連続してトリマー側規制部８３を設け、復帰カム体６１の外周面に連続して本体側規制部８４を設ける。図１３に示すように、トリマーユニット３が待機姿勢に格納された状態において、トリマー側規制部８３と本体側規制部８４とが互いに接当して、トリマーユニット３を作動姿勢に保持固定する。
【００２３】
トリマーユニット３は固定刃２１および可動刃２２と、これら両者を支持するトリマーベース２３を備えている。図５に示すように、トリマーベース２３の左右方向の一側端に復帰受動片７１を設ける。
【００２４】
図５に示すように、トリマーベース２３の左右方向の一側端に受動片７０を設け、トリマーベース２３の左右方向の他側端に復帰受動片７１を設ける。
【００２５】
トリマーユニット３と対向する本体ケース１のケース壁に駆動開口１８を設ける。往復動力をトリマーユニット３へ出力する駆動アーム１６を駆動開口１８に臨ませる。スライドノブ３３はノブ本体３５と、ノブ本体３５の背面に固定される背面カバー３６とで構成する。トリマーユニット３を作動姿勢に切換えた状態において、駆動開口１８を背面カバー３６で覆う。
【００２６】
切換えカム体６２の下側にガイド溝６３を設ける。図１４に示すように、トリマーユニット３から本体ケース１へ向かって突出した受動片７０の左右側面を、前記ガイド溝６３の溝側壁でスライド案内する。
【００２７】
トリマーユニット３の揺動軸２８を、トリマーユニット３を構成するトリマーベース２３と一体に設ける。ノブ本体３５の内面両側に設けられて揺動軸２８を軸支する軸受溝４０を、背面カバー３６に向かって開口するＵ字溝状に形成する。図１３に示すように、揺動軸２８を軸受溝４０に嵌込み、ノブ本体３５と背面カバー３６を組付けた状態において、軸受溝４０の溝開口を背面カバー３６に設けた蓋部５２で塞ぐようにする。
【００２８】
蓋部５２に、軸受溝４０の内部に入込んで揺動軸２８の周面を受け止める突起５３を設ける。
【００２９】
図７に示すように、背面カバー３６に、スライドノブ３３をオフ位置においてスライド不能にロック保持するロック構造の弾性ロック腕４５と、スライドノブ３３をオフ位置、オン位置、トリマー位置の各位置において位置保持する節度構造の弾性腕４６とを設ける。背面カバー３６に、弾性ロック腕４５を弾性変形させてロック解除操作する解除ボタン４８と、スイッチ端子５０を装着するための端子装着部４７とを設ける。
【００３０】
ノブ本体３５と背面カバー３６とは、背面カバー３６の周縁の複数個所に設けた固定部Ｍで一体化する。図８に示すように、背面カバー３６における弾性ロック腕４５と弾性腕４６の配置位置を、左右で対を為す固定部Ｍを含む締結領域Ｒで上下に区分する。
【００３１】
弾性腕４６を左右で対を為す固定部Ｍを含む締結領域Ｒの下方の一側に配置する。端子装着部４７は、弾性腕４６の側方に隣接し、かつ締結領域Ｒに近接する状態で背面カバー３６に設ける。
【００３２】
本体ケース１のケース壁に、端子装着部４７を往復スライド可能に案内する端子ガイド溝５９を形成する。図１１に示すように、端子ガイド溝５９の内面内方に配置した回路基板７に、端子装着部４７に固定したスイッチ端子５０で接続状態が切換えられる固定端子５１を設ける。
【００３３】
端子装着部４７と対向するノブ本体３５の内面に、スイッチ端子５０の弾性に抗して端子装着部４７を受止める規制体８５を設ける。
【００３４】
本体ケース１のケース壁に、スライドノブ３３を往復スライド自在に案内する複数のノブガイド溝５７を形成する。ノブ本体３５の内面にノブガイド溝５７で案内されるスライド突起３８を設ける。スライド突起３８の突端にノブガイド溝５７の溝内縁に係合して、スライドノブ３３を本体ケース１と連結する連結爪３９を形成する。
【発明の効果】
【００３５】
本発明においては、トリマーユニット３とスライドノブ３３を揺動軸２８を介して連結し、トリマーユニット３を作動姿勢と待機姿勢とに起伏揺動できるようスライドノブ３３で支持した。また、トリマーユニット３に設けた受動片７０と、受動片７０のスライド軌跡に臨んで本体ケース１に設けた切換えカム体６２などで姿勢切換構造を構成して、スライドノブ３３をスライド操作する状態において、スライド移動する受動片７０を切換えカム体６２で受止めて、受動片７０を揺動軸２８の回りに回動操作することにより、トリマーユニット３を待機姿勢から作動姿勢に切換えるようにした。
【００３６】
上記のように、トリマーユニット３に設けた受動片７０を、本体ケース１に設けた切換えカム体６２で直接的に受止めて、トリマーユニット３を待機姿勢から作動姿勢に切換えるようにすると、リンクやレバーなどの中間伝動構造を使用する必要もなくトリマーユニットの姿勢を確実に切換えることができる。従ってトリマーユニットの姿勢切換構造を著しく単純化し、簡素化してコストを削減し、その分だけ低コストの電気かみそりを提供することができる。また、スライド移動する受動片７０を切換えカム体６２で直接的に受止めて、トリマーユニット３の姿勢を切換えるので、スライドノブ３３のスライド動作を伝動するための中間伝動構造や連結構造を省略することができる。従って、電気かみそりに落下衝撃などが作用するような場合でも、落下衝撃を受けて連結部分が分離する余地がなく、トリマーユニット３を常に円滑に起伏揺動できる、信頼性に優れた電気かみそりを提供することができる。
【００３７】
トリマーユニット３と本体ケース１の対向面に、トリマー側ストッパー７９と本体側ストッパー７８とを設け、トリマーユニット３が作動姿勢に切換わった状態において、前記両ストッパー７８・７９を互いに接当させると、作動姿勢に切換えられたトリマーユニット３の姿勢を、安定した状態で保持固定することができる。従って、ユーザーがスライドノブ３３をトリマー位置からオン位置側へスライド操作しない限りは、トリマーユニット３を作動姿勢に固定保持して、きわ剃りを安定した状態で行なうことが出来る。外力を受けたトリマーユニット３が待機姿勢の側へ復帰回動することもない。
【００３８】
受動片７０の外周面に連続してトリマー側ストッパー７９を設け、切換えカム体６２の外周面に連続して本体側ストッパー７８を設けると、各ストッパー７８・７９を受動片７０および切換えカム体６２の周辺に集約することができる。従って、各ストッパー７８・７９をトリマーユニット３の他の部分に独立した構造として設ける場合に比べて、トリマーユニット３の構造を簡素化できる。各ストッパー７８・７９と受動片７０および切換えカム体６２の位置関係をより近づけることができるので、受動片７０の回動に伴う両ストッパー７８・７９の姿勢の切換わり動作を安定化できる利点もある。
【００３９】
受動片７０を本体ケース１へ向かって突出し、その突端寄りに切換えカム体６２のカム面７２で受止められる受動部７３を設けると、トリマーユニット３が作動姿勢へ回動するときの、受動部７３に作用するモーメントアームを大きくすることができる。従って、トリマーユニット３を軽快に回動変位させて、待機姿勢から作動姿勢に的確に切換えることができる。また、受動部７３を切換えカム体６２のカム面７２で受止めて、常に下向きの操作力が作用する状態で受動片７０を回動させるので、トリマーユニット３が揺動軸２８の周りに回動するとき、揺動軸２８がずれ動くのを防止して、トリマーユニット３を安定した状態で回動変位できる。
【００４０】
切換えカム体６２のカム面７２を第１カム面７４と、傾斜する第２カム面７５とで構成すると、図１７に示すように受動片７０の近傍に逃げ凹部９０を設ける必要もなく、トリマーユニット３を円滑に回動させることができる。これは、切換えカム体６２の下隅に傾斜する第２カム面７５に設けることで、回動途中の受動片７０が切換えカム体６２の下隅に接当緩衝するのを回避できるからである。また、受動片７０の近傍に逃げ凹部９０を設ける必要がないので、凹部９０を設けることで受動片７０および周辺の構造が複雑になることもなく、その分だけ受動片７０および同片７０の周辺構造を簡素化できる。
【００４１】
固定刃２１および可動刃２２と、これら両者を支持するトリマーベース２３などでトリマーユニット３を構成し、トリマーベース２３の左右方向の一側端に受動片７０を設けると、固定刃２１および可動刃２２をトリマーベース２３に組付ける際に、受動片７０が組付けの邪魔になるのを解消できる。従って、トリマーユニット３の組立に関する一連の作業を、より少ない手間で的確に行うことができる。
【００４２】
トリマーベース２３の両側端のそれぞれに補強リブ２７を設け、左右いずれか一方の補強リブ２７に受動片７０を設けると、受動片７０をトリマーベース２３に独立した構造として形成する場合に比べて、補強リブ２７の分だけ受動片７０の突出寸法を小さくして強度を向上できる。また、トリマーユニット３が待機姿勢になっているとき、受動片７０が
格納部３４の前開口から視認されるのを防止できる。
【００４３】
本体ケース１のトリマーユニット３との対向面に切換えカム体６２を突設し、スライドノブ３３がスライド操作されるとき、切換えカム体６２でスライド溝４４をスライド案内すると、トリマーユニット３と切換えカム体６２の左右方向の位置関係を適正化できる。従って、姿勢切換え時のトリマーユニット３の回動を円滑に行える。
【００４４】
ノブ本体３５と背面カバー３６とでスライドノブ３３を構成すると、スライドノブ３３をスライド操作した状態において、本体ケース１の前面を背面カバー３６で覆い隠すことができる。従って、トリマーユニット３を使用する際に、本体ケース１に設けた駆動構造や姿勢切換え構造などが視認されるのを防いで、電気かみそりの外観上の体裁を向上することができる。また、背面カバー３６を利用してスライド溝４４を形成するので、スライドノブ３３のスライド動作を安定化できる。
【００４５】
トリマーユニット３と本体ケース１との間に姿勢復帰構造を設けると、スライドノブ３３をスライド操作することにより、トリマーユニット３を作動姿勢から待機姿勢に強制的に復帰操作することができる。従って、ユーザーは、単にスライドノブ３３をオン位置側へスライド操作するだけで、トリマーユニット３を待機姿勢に復帰回動させて、次回のきわ剃り作業に備えることができる。
【００４６】
トリマーユニット３に設けた復帰受動片７１と、本体ケース１に設けた復帰カム体６１とで姿勢復帰構造を構成すると、スライドノブ３３がトリマー位置からオン位置側へスライド操作されるとき、復帰受動片７１を復帰カム体６１で直接的に受止めて、トリマーユニット３を作動姿勢から待機姿勢に切換えることができる。従って、リンクやレバーなどの中間伝動構造を使用する必要もなくトリマーユニット３の姿勢を姿勢復帰構造で確実に切換えることができ、さらに、中間伝動構造を省略する分だけ、姿勢切換構造を著しく単純化し簡素化してコストを削減できる。
【００４７】
受動片７０と本体ケース１との間に配置した復帰ばね９２で構成した姿勢復帰構造によれば、作動姿勢に切換わったトリマーユニット３に対して復帰ばね９２のばね力を作用させて、トリマーユニット３を待機姿勢の側へ向かって復帰付勢することができる。従って、スライドノブ３３がトリマー位置からオン位置側へスライド操作されるのに連動して、トリマーユニット３を自動的に復帰回動させながら待機姿勢に戻すことができる。復帰ばね９２は、受動片７０と本体ケース１とに連結してあればよいので、復帰受動片７１や復帰カム体６１などのカム構造を設けて、トリマーユニット３を待機姿勢へ復帰操作する場合に比べて姿勢復帰構造を簡素化でき、動作の信頼性を高めることができる。
【００４８】
スイッチノブを兼ねるスライドノブ３３がオフ位置と、オン位置と、トリマー位置とにスライド移動するノブ構造において、オフ位置におけるトリマーユニット３を復帰ばね９２のばね力で待機姿勢に位置保持できるようにすると、不使用状態におけるトリマーユニット３が、落下衝撃などの外力を受けて作動姿勢に切換わるのを確実に防止できる。また、いたずら等によってトリマーユニット３を作動姿勢に切換える試みが行われたとしても、トリマーユニット３を復帰ばね９２のばね力で待機姿勢に戻すことができる。
【００４９】
スライドノブ３３がオフ位置、オン位置、トリマー位置の各位置にあるときの、固定連結部９３と可動連結部９４との間の距離をＬ１、Ｌ２、Ｌ３とするとき、固定連結部９３と可動連結部９４が、不等式（Ｌ２＜Ｌ１＜Ｌ３）を満足する位置に設けてあると、両連結部９３・９４の距離の違いに応じて復帰ばね９２のばね力を大小に違わせることができる。詳しくは、スライドノブ３３がオン位置にあるときのばね力を基準にして、スライドノブ３３がオフ位置にあるときのばね力が先の基準のばね力より大きく、さらにスライドノブ３３がトリマー位置にあるときのばね力が最も大きくなるように設定できる。従って、トリマーユニット３が作動姿勢に切換わった状態と、トリマーユニット３が待機姿勢に切換わった状態において、トリマーユニット３の姿勢を確実に保持固定して、トリマーユニット３の姿勢が不用意に切換わるのをより確実に防止できる。
【００５０】
姿勢復帰構造を備えた電気かみそりにおいて、復帰受動片７１と復帰カム体６１にトリマー側規制部８３と本体側規制部８４を設けると、トリマーユニット３が待機姿勢に格納された状態において、トリマー側規制部８３と本体側規制部８４とが互いに接当して、トリマーユニット３を待機姿勢に保持固定することができる。従って、ユーザーがスライドノブ３３をオン位置からトリマー位置側へスライド操作しない限りは、トリマーユニット３を待機姿勢に固定保持して、トリマーユニット３の姿勢が不用意に作動姿勢に切換わるのを防止できる。トリマー側規制部８３と本体側規制部８４とが、機械的に互いに接当して、トリマーユニット３を待機姿勢に固定保持するので、トリマーユニット３がいたずらされ、あるいは落下衝撃がトリマーユニット３に作用するような場合であっても、トリマーユニット３を安定した状態で確実に待機姿勢に固定保持できる。
【００５１】
トリマーベース２３の左右方向の一側端に復帰受動片７１を設けると、固定刃２１および可動刃２２をトリマーベース２３に組付ける際に、復帰受動片７１が組付けの邪魔になるのを解消できる。従って、トリマーユニット３の組立に関する一連の作業を、より少ない手間で的確に行うことができる。
【００５２】
トリマーベース２３の一側端に受動片７０を設け、トリマーベース２３の他側端に復帰受動片７１を設けて、受動片７０と復帰受動片７１を分離配置すると、両受動片７０・７１を一個所に集約する場合に比べて、各受動片７０・７１およびその周辺構造を単純化できる。また、両受動片７０・７１の形成位置がトリマーベース２３の両側端に位置するので、固定刃２１や可動刃２２などのトリマー構成部品をトリマーベース２３に組付ける際に、受動片７０や復帰受動片７１が組付けの邪魔になることもなく、トリマーユニット３の一連の組立作業をより少ない手間で的確に行うことができる。
【００５３】
トリマーユニット３を作動姿勢に切換えた状態において、本体ケース１のケース壁に開口した駆動開口１８を背面カバー３６で覆うようにすると、きわ剃り時に切断された毛屑が駆動開口１８から本体ケース１の内部に入込むのをよく防止して、毛屑の進入に伴う衛生状態の悪化や、進入した毛屑が可動部分に付着して作動不良に陥るのを良く防止できる。また、駆動開口１８を介して本体ケース１の内部が視認されるのを防止して、使用状態における外観上の体裁を向上することができる。
【００５４】
切換えカム体６２の下側にガイド溝６３を設け、本体ケース１へ向かって突出した受動片７０の左右側面を、前記ガイド溝６３の溝側壁でスライド案内すると、スライドノブ３３が上下スライドするとき、受動片７０のスライド軌跡が左右に変動するのをガイド溝６３で規制できる。従って、受動片７０を切換えカム体６２のカム面７２に適正に正対させて、トリマーユニット３の姿勢切換えをさらに的確に行うことができる。また、切換えカム体６２の下側に形成したガイド溝６３で受動片７０をスライド案内するので、ガイドリブなどのガイド構造を別途設ける場合に比べて、構造を簡素化できる。
【００５５】
ノブ本体３５の内面両側にＵ字溝状の軸受溝４０を形成し、トリマーユニット３の揺動軸２８を軸受溝４０に嵌込み、ノブ本体３５と背面カバー３６を組付けた状態において、軸受溝４０の溝開口を背面カバー３６の蓋部５２で塞ぐと、揺動軸２８が軸受溝４０から脱落するのを蓋部５２で確実に防止できる。また、ノブ本体３５の軸受溝４０にトリマーユニット３の揺動軸２８を嵌込んだのち、背面カバー３６をノブ本体３５に組付けることで軸受溝４０の溝開口を蓋部５２で塞ぐことができるので、一連の組立作業をより少ない手間で簡便に行うことができる。
【００５６】
蓋部５２に突起５３を設け、この突起５３で揺動軸２８の周面を受け止めるようにすると、揺動軸２８が軸受溝４０の内部で遊動するのを防止できるので、トリマーユニット３の姿勢切換えに伴う回動動作を、常に安定した状態で行うことができる。
【００５７】
背面カバー３６に、ロック構造の弾性ロック腕４５と、節度構造の弾性腕４６と、弾性ロック腕４５用の解除ボタン４８と、スイッチ端子５０用の端子装着部４７を設けると、これらの構造を別途設ける場合に比べて、ロック構造および節度構造とその周辺構造がいたずらに複雑化するのを避けて、スライドノブ３３の内部構造を簡素化できる。また、弾性ロック腕４５、弾性腕４６、解除ボタン４８と端子装着部４７を背面カバー３６と一体に設けるので、部品点数が増加するのを解消して組立に要する手間を著しく省くことができる。
【００５８】
背面カバー３６における弾性ロック腕４５と弾性腕４６の配置位置を、左右で対を為す固定部Ｍを含む締結領域Ｒで上下に区分すると、弾性ロック腕４５と弾性腕４６のいずれか一方が弾性変形するとき、他方が弾性変形の反力を受けてたわみ変形するのを、固定部Ｍを含む締結領域Ｒで遮断することができる。従って、弾性ロック腕４５がロック姿勢に切換わり、あるいは解除ボタン４８でロック解除操作される場合に、スライドノブ３３を確実にロック保持し、あるいはロック解除できる。このとき、弾性ロック腕４５が弾性変形するときの変形応力が弾性腕４６に影響して、スライド操作を円滑に行えない可能性があったが、先の変形応力が弾性腕４６に影響するのを、固定部Ｍを含む締結領域Ｒで遮断できる。また、弾性腕４６がスライドノブ３３の位置切換えに連動しながら弾性変形して、スライドノブ３３を各切換え位置に位置保持することができる。
【００５９】
締結領域Ｒの下方の一側に弾性腕４６を配置し、端子装着部４７を弾性腕４６の側方に隣接し、かつ締結領域Ｒに近接する状態で背面カバー３６に設けると、端子装着部４７のスライド後の位置を弾性腕４６で常に適正に位置決めできる。また、端子装着部４７を締結領域Ｒに近接する状態で配置するので、端子装着部４７を背面カバー３６の締結領域Ｒで強固に支持できる。従って、スライドノブ３３を上下にスライド操作してモーター４への通電状態を切換えるとき、端子装着部４７に固定したスイッチ端子５０によるスイッチの切換え動作を常に確実に行うことができる。
【００６０】
本体ケース１のケース壁に端子ガイド溝５９を設け、このガイド溝５９で端子装着部４７を往復スライド可能に案内すると、スライドノブ３３を上下にスライド操作するとき、端子装着部４７が左右方向へ揺れ動くのをガイド溝５９で規制できる。従って、端子装着部４７に固定したスイッチ端子５０と、端子ガイド溝５９の内面内方に配置した回路基板７上の固定端子５１との接触状態を常に適正なものとして、スイッチの切換え動作をさらに確実なものとすることができる。
【００６１】
端子装着部４７と対向するノブ本体３５の内面に規制体８５を設けると、スライドノブ３３を繰り返し上下スライドする際に、端子装着部４７がスイッチ端子５０の弾性力で押上げられて、端子装着部４７が回路基板７から徐々に離れるのを規制体８５で規制することができる。これにより、スイッチ端子５０と固定端子５１とが接触不良に陥るのを解消して、スイッチ端子５０と固定端子５１の接触状態を常に適正なものとすることができる。
【００６２】
本体ケース１のケース壁に複数のノブガイド溝５７を形成し、ノブ本体３５の内面に先のノブガイド溝５７で案内されるスライド突起３８を設けると、スライドノブ３３が左右にぐら付くのを確実に防止しながら、スライドノブ３３を本体ケース１に沿って上下スライドできる。また、スライド突起３８の突端に設けた連結爪３９をノブガイド溝５７の溝内縁に係合することにより、本体ケース１に連結したスライドノブ３３が、本体ケース１から脱落するのを防止して、スライドノブ３３をノブガイド溝５７に沿って、確実に上下スライド操作することができる。
【図面の簡単な説明】
【００６３】
【図１】本発明に係るトリマーユニットの姿勢切換構造を示す縦断側面図である。
【図２】本発明に係る電気かみそりの正面図である。
【図３】本発明に係る電気かみそりの側面図である。
【図４】動力伝動構造を示す断面図である。
【図５】トリマーユニットの分解斜視図である。
【図６】図１におけるＡ−Ａ線断面図である。
【図７】スライドノブおよび前ケースの分解斜視図である。
【図８】前ケースの正面図とスライドノブの背面図である。
【図９】トリマーユニットとスライドノブの縦断側面図である。
【図１０】トリマーユニットを作動姿勢にした状態の縦断側面図である。
【図１１】スイッチ構造を示す縦断側面図である。
【図１２】スライドノブを前ケースに組付けた状態の縦断正面図である。
【図１３】トリマーユニットの姿勢復帰構造を示す縦断側面図である。
【図１４】待機姿勢のトリマーユニットを示す縦断側面図である。
【図１５】姿勢切換え途中のトリマーユニットを示す側面図である。
【図１６】スライドノブをオフ位置、オン位置、トリマー位置に切換えた状態を示す電気かみそりの一部破断正面図である。
【図１７】姿勢切換構造の一部を変更した別実施例を示す側面図である。
【図１８】姿勢復帰構造の一部を変更した別実施例を示す縦断側面図である。
【発明を実施するための形態】
【００６４】
（実施例）  図１ないし図１６は、本発明に係る電気かみそりの実施例を示す。本発明における前後、左右、上下とは、図２および図３に示す交差矢印と、各矢印の近傍に表記した前後、左右、上下の表示に従う。図２および図３において電気かみそりは、グリップを兼ねる本体ケース１と、本体ケース１の上部のヘッド部に設けられる刃部２と、本体ケース１の前面上部に設けられるトリマーユニット３と、これら両者を駆動するために本体ケース１の内部に配置されるモーター４および２次電池５などで構成する。
【００６５】
本体ケース１は、前後に２分割された前ケース１ａと後ケース１ｂとからなり、これら両ケース１ａ・１ｂを蓋合わせ状に接合し、３個のビスで締結することにより中空ケース状に構成されている。本体ケース１の内部には、モーター４を支持するモーターホルダー６（図４参照）や、充電用のソケットを接続するためのプラグホルダーが収容されて、前後ケース１ａ・１ｂで挟み固定してある。図２および図３において符号７は回路基板、符号８は充電用のプラグピンであり、回路基板７には電気かみそりの運転状態を制御する制御回路が実装してある。
【００６６】
図４に示すように刃部２は、スリット刃からなる内刃１０と網刃からなる外刃１１とで構成されて、主に短いひげを切断する際に使用される。外刃１１は外刃ホルダー１２でアーチ状に保形してある。モーター４の回転動力は偏心カム１３と振動子１４で往復動力に変換され、振動子１４の上面に設けた駆動軸１５を介して内刃１０に伝動される。また、変換後の往復動力は、振動子１４の前面に設けた駆動アーム１６を介してトリマーユニット３に伝動することができる。駆動軸１５は本体ケース１の上開口から上方へ突出しており、本体ケース１に装着したパッキン（図示していない）で、駆動軸１５と上開口との間の隙間をシールしている。図９に示すように、駆動アーム１６は前ケース１ａの上部に開口した駆動開口１８に臨ませてある。外刃ホルダー１２は、本体ケース１の側面内部に組み込んだ一対のロック爪（図示していない）でロック保持してあり、ロック爪と一体に設けた取外しボタン１９（図２参照）を押込み操作すると本体ケース１から取外すことができる。先のヘッド部は、刃部２と、外刃ホルダー１２と、外刃ホルダー１２を支持するために本体ケース１の上部に設けられるホルダーフレームと、振動子１４などで構成してある。ヘッド部は、本体ケース１に対して上下、左右、前後の少なくともひとつの方向へ移動できるよう支持することができ、その場合には、ヘッド部と本体ケース１との間に設けたヘッド部移動構造でヘッド部を支持するとよい。
【００６７】
図５において、トリマーユニット３は固定刃２１および可動刃２２と、これら両者２１２２を支持するトリマーベース２３と、可動刃２２に溶着固定される可動刃ホルダー２４と、可動刃２２および可動刃ホルダー２４を押え保持する押え枠２５などで構成する。トリマーユニット３は、きわ剃りの際に使用し、あるいはくせ毛を切断するなど、主に長毛を切断する際に使用する。トリマーベース２３は、左右横長のホルダー壁２６と、ホルダー壁２６の背面両側に設けた左右一対の補強リブ２７と、補強リブ２７の外側面の上部に突設した揺動軸２８を一体に備えている。固定刃２１および可動刃２２はそれぞれ櫛歯で構成してあって、両者２１・２２の切刃部が下向きになる状態でトリマーベース２３に組付けられる。詳しくは、固定刃２１はトリマーベース２３の内面に係合装着され、その両側のＵ字状の係合部分がトリマーベース２３に設けた突起で溶着固定される。また、可動刃２２は固定刃２１と密着するように組付けられて、トリマーベース２３に組付けた押え枠２５の一対のばね腕２９で、可動刃ホルダー２４を介して固定刃２１に向かって押付け付勢される。この状態の可動刃２２および可動刃ホルダー２４は、トリマーベース２３に設けたガイドピン３０で左右スライドのみ可能に案内支持されている。可動刃ホルダー２４の上部中央には受動ピース２４ａが突設してあり、図１に示すように、受動ピース２４ａが先の駆動アーム１６の前端に設けた駆動アーム１６ａと係合することにより、駆動アーム１６の往復動力を受継ぐことができる。
【００６８】
本体ケース１の前面には、本体ケース１に対して上下スライドする盾形のスライドノブ３３が組付けてあり、スライドノブ３３の上部の格納部３４にトリマーユニット３が収容してある。スライドノブ３３は前側のノブ本体３５と、背面カバー３６とで構成してある。背面カバー３６は、ノブ本体３５と本体ケース１との間に配置されて、ノブ本体３５の内面に固定してある。図７においてノブ本体３５には、格納部３４の前開口が開口してあり、その下方に指掛け凹部３７が凹み形成してある。また、ノブ本体３５の内面側にはスライド脚（スライド突起）３８が指掛け凹部３７の周辺４個所に突設されて、その突端に連結爪３９が設けてある。先の前開口の内面の左右縁の上部には、トリマーユニット３の揺動軸２８を軸支する軸受溝４０が、背面カバー３６に向かって開口する状態でＵ字溝状に形成してある。ノブ本体３５の内面の上縁左右と、格納部３４の前開口の下縁左右と、指掛け凹部３７の下部左右の合計６個所には、背面カバー３６を溶着固定するための溶着ピン４１が形成してある。
【００６９】
背面カバー３６は、Ｔ字状のパネルからなり、上半側のパネル面の中央にトリマーユニット３との緩衝を避ける笠状のトリマー開口４３を形成し、その左右両側にスライド溝４４が形成してある。図７に向かって右側のスライド溝４４は後述する切換えカム体６２と係合しており、スライドノブ３３がスライド操作される状態において、切換えカム体６２がスライド溝４４をスライド案内する。このように、スライド溝４４を切換えカム体６２でスライド案内することにより、トリマーユニット３と切換えカム体６２の左右方向の位置関係を適正化できるので、姿勢切換え時のトリマーユニット３の回動を円滑に行える。図７に向かって左側のスライド溝４４は、トリマーユニット３が回動するとき、後述する復帰受動片７１の前後回動を許すために設けてある。下半側のパネル面には、ロック構造の弾性ロック腕４５が設けられ、その下方の左右に節度構造の弾性腕４６と、縦長長方形状の端子装着部４７が設けてある。上半側のパネル面の上縁の左右と、下半側のパネル面の上下縁の左右には、それぞれ先の溶着ピン４１に対応するピン穴が形成してある。左右一対の弾性ロック腕４５の前後には、ロック構造をロック解除操作する横一文字状の解除ボタン４８と、ロック爪４９（図９参照）が一体に設けてある。ロック構造および節度構造を構成する上記の各部材の詳細については、本体ケース１側の部材と対応する関係にあるので改めて説明する。端子装着部４７の背面側には、弾性変形可能なスイッチ端子５０が固定してある（図１１参照）。また、本体ケース１の内部に設けた回路基板７には、スイッチ端子５０で接続状態が切換えられる固定端子５１が、上下に分離した状態で設けてある。
【００７０】
トリマーユニット３をノブ本体３５の格納部３４の背面側から組んでその揺動軸２８を軸受溝４０に係合し、さらに、背面カバー３６をノブ本体３５の背面側から組んで、解除ボタン４８を指掛け凹部３７のボタン開口に差込み装着し、さらにピン穴を溶着ピン４１に係合することにより、背面カバー３６をノブ本体３５に仮組みできる。この状態で、各溶着ピン４１のピン端を溶着することにより、トリマーユニット３とノブ本体３５と背面カバー３６の３者を一体化できる。図８に溶着後の溶着部（固定部）を符号Ｍで示している。固定部Ｍは、溶着構造以外に、ビスなどによる締結構造や、嵌合構造などであってもよい。
【００７１】
先に説明したように、背面カバー３６の下半側には、ロック構造の弾性ロック腕４５と、節度構造の弾性腕４６とが上下に隣接する状態で配置してある。そのため、弾性ロック腕４５と弾性腕４６のいずれか一方が弾性変形するとき、他方が変形応力を受けてたわみ変形するおそれがある。こうした変形応力に伴う変形を避けるために、図８に示すように上記の溶着部Ｍのうち、左右で対を為す最下段の溶着部Ｍを含む締結領域Ｒで、弾性ロック腕４５の配置位置と、弾性腕４６の配置位置を上下に区分している。締結領域Ｒとは、先の溶着部Ｍを含み、背面カバー３６の下半側の面壁の一側から他側にわたる領域を意味している。弾性腕４６と端子装着部４７とは、締結領域Ｒより下側に配置されて左右に隣接している。
【００７２】
上記の組付け状態において、揺動軸２８が軸受溝４０から脱落するのを防止するために、背面カバー３６の上半側パネル面の左右側縁に蓋部５２を設けて、図１に示すように軸受溝４０の開口を蓋部５２で塞いでいる。蓋部５２には小さな突起５３が設けてあり、この突起５３が軸受溝４０の内部に入込んで揺動軸２８の周面を受止めることにより、トリマーユニット３が回動するときに揺動軸２８ががた付くのを規制している。組付け状態における解除ボタン４８は、図９に示すようにボタン開口から指掛け凹部３７の内面に突出している。
【００７３】
スライドノブ３３は、モーター４への通電をオン・オフするスイッチノブを兼ねており、前ケース１ａに組付けた状態において、下段のオフ位置と、オフ位置より上側のオン位置と、オン位置より上側のトリマー位置とにスライド移動でき、オン位置とトリマー位置の双方において、モーター４への通電をオン状態に保持できる。このように、スライドノブ３３を本体ケース１で上下スライド自在に支持するために、前ケース１ａの前壁にスライドノブ３３と同形のスライド凹部５６を設け、その上下中途部の４個所に縦長のノブガイド溝５７を開口し、これらの溝５７でノブ本体３５に設けたスライド脚３８を上下スライド自在に案内している。スライド脚３８をノブガイド溝５７に差込み係合して、スライドノブ３３を本体ケース１に組付けた状態では、連結爪３９がノブガイド溝５７の背面側の溝側縁に係合して、スライドノブ３３が本体ケース１から分離するのを阻止している（図１４参照）。
【００７４】
下側で左右対を為すノブガイド溝５７の間には、ロック爪４９の上下スライドを許す爪ガイド溝５８と、端子装着部４７の上下スライドを許す端子ガイド溝５９とが開口され、端子ガイド溝５９の側方に隣接して瓢箪形の節度突起６０が形成してある。スライド凹部５６の上部には先に説明した駆動開口１８が開口され、その左右に復帰カム体６１と切換えカム体６２が形成され、切換えカム体６２の下側に受動片７０をスライド案内するガイド溝６３が形成してある。図１３に示すように、復帰カム体６１は、前方へ向かって下り傾斜する緩やかな傾斜面からなり、前ケース１ａの上隅に形成した凹部の底壁に形成してある。
【００７５】
上記のように、スライドノブ３３をオフ位置、オン位置、およびトリマー位置の各位置において位置保持するために、背面カバー３６と前ケース１ａの対向面に節度構造を設けている。また、スライドノブ３３をオフ位置においてスライド不能にロック保持するために、背面カバー３６と前ケース１ａとの間にロック構造を設けている。
【００７６】
節度構造は、背面カバー３６の最下部に設けた左右一対の弾性腕４６と、前ケース１ａに形成した瓢箪形の節度突起６０とで構成してあり、一対の弾性腕４６の下部対向面には節度爪６６が形成してある。スライドノブ３３が上下スライドするとき、節度爪６６は一対の弾性腕４６が拡開状に弾性変形しながら節度突起６０の円筒部を乗越えており、オフ位置における節度爪６６は、図１２および図１６（ａ）に示すように、節度突起６０の下側の円筒部の下周面で受止められている。また、オン位置における節度爪６６は、図１６（ｂ）に示すように、節度突起６０の上下の円筒部の間のくびれ部で受止められており、トリマー位置における節度爪６６は、図１６（ｃ）に示すように、節度突起６０の上側の円筒部の上周面で受止められている。
【００７７】
ロック構造は、背面カバー３６の中途部に設けた左右一対の弾性ロック腕４５と、その下端背面側に設けたロック爪４９と、前ケース１ａの爪ガイド溝５８の下端背面に設けた鉤形凹部６７とで構成する（図９参照）。スライドノブ３３をオフ位置に戻した状態では、ロック爪４９が鉤形凹部６７と係合しているので、スライドノブ３３を押上げ操作しても同ノブ３３がスライドすることはない。スライドノブ３３をオン位置、あるいはトリマー位置までスライド移動させる場合には、解除ボタン４８を押込み操作して、弾性ロック腕４５を本体ケース１側へ弾性変形させ、ロック爪４９と鉤形凹部６７との係合を解除した状態で、スライドノブ３３を押上げ操作する。なお、スライドノブ３３をオン位置からオフ位置へ戻す場合には、ロック爪４９が弾性ロック腕４５を弾性変形させながら爪ガイド溝５８の下壁に乗上がって鉤形凹部６７に落込むので、解除ボタン４８を操作する必要はない。
【００７８】
スライドノブ３３の上下スライド動作を利用して、トリマーユニット３の姿勢を作動姿勢と待機姿勢に強制的に切換えるために、トリマーユニット３およびスライドノブ３３と本体ケース１の対向面に姿勢切換構造と姿勢復帰構造を設けている。図１において、姿勢切換構造は、トリマーユニット３に設けた受動片７０と、受動片７０の上下スライド軌跡に臨んで本体ケース１に設けた切換えカム体６２とで構成してあり、スライドノブ３３の上方スライド動作を利用してトリマーユニット３を待機姿勢から作動姿勢に切換える。姿勢復帰構造は、トリマーユニット３に設けた復帰受動片７１と、復帰受動片７１のスライド軌跡に臨んで本体ケース１に設けた復帰カム体６１とで構成してあり、スライドノブ３３の下方スライド動作を利用してトリマーユニット３を作動姿勢から待機姿勢に切換える。スライドノブ３３を本体ケース１に組付けた状態における受動片７０は、その先端が背面カバー３６のスライド溝４４を介して前ケース１ａのガイド溝６３内に突出しており（図１４参照）、スライドノブ３３が上下にスライド操作される状態では、受動片７０の左右壁がガイド溝６３の溝側面でスライド案内される。従って、トリマーユニット３が作動姿勢から待機姿勢に回動する間に、受動片７０が左右方向へずれ動くのを確実に防止して、切換えカム体６２による受動片７０の回動操作を常に的確に行える。
【００７９】
先に説明したように、補強リブ２７はホルダー壁２６の背面両側に設けられてトリマーベース２３の構造強度を増強しており、図５に示すように受動片７０は、トリマーベース２３の右端の補強リブ２７の背面上部に配置されて後向きに突設してある。復帰受動片７１は、トリマーベース２３の左端の補強リブ２７の上部に配置されて、上向きに突設してある。このように、受動片７０および復帰受動片７１を補強リブ２７と一体に設けると、固定刃２１、可動刃２２、可動刃ホルダー２４、および押え枠２５をトリマーベース２３に組付ける際に、受動片７０や復帰受動片７１が組付けの邪魔になるのを解消できる。また、受動片７０や復帰受動片７１をトリマーベース２３のホルダー壁２６から直接突設する場合に比べて、補強リブ２７の分だけ受動片７０や復帰受動片７１の突出寸法を小さくして強度を向上できる。さらに、トリマーユニット３が格納部３４に収容されて待機姿勢になっているとき、受動片７０や復帰受動片７１が格納部３４の前開口から視認されるのを防止できる。
【００８０】
図１に示すように、スライドノブ３３がオン位置からトリマー位置まで押上げ操作されるとき、切換えカム体６２は、その下面および下隅にわたって設けたカム面７２で、受動片７０の突端上面の受動部７３を受止めて、受動片７０を揺動軸２８の周りに回動させ、トリマーユニット３の姿勢を切換える。カム面７２は、切換えカム体６２の下面に設けられる第１カム面７４と、第１カム面７４に連続して傾斜する第２カム面７５とで構成してある。
【００８１】
トリマーユニット３が待機姿勢から作動姿勢に切換わったとき、トリマーユニット３の作動姿勢を安定した状態で保持するために、切換えカム体６２の外周面に連続して本体側ストッパー７８を設け受動片７０の外周面に連続してトリマー側ストッパー７９を設けている。本体側ストッパー７８は、先の第２カム面７５の上側に隣接する垂直の前端面からなり、トリマー側ストッパー７９は、受動片７０の受動部７３に連続する水平の上端面からなる（図５参照）。図１に示すように、トリマーユニット３が作動姿勢に切換わった状態では、本体側ストッパー７８とトリマー側ストッパー７９とが面接触状に接当している。そのため、トリマーユニット３が作動姿勢を越えて回動することはなく、外力を受けたトリマーユニット３が下方回動して待機姿勢に戻ることもない。
【００８２】
図５において復帰受動片７１の背面側には、復帰カム体６１で切換え操作される垂直の受動部８２と、作動姿勢から待機姿勢に切換わったトリマーユニット３の姿勢を安定した状態で保持するトリマー側規制部８３とが連続して設けてある。また、トリマー側規制部８３に対応して、復帰カム体６１の外周面に連続して本体側規制部８４を設けている。図１２に示すように、トリマーユニット３が待機姿勢に切換わった状態では、本体側規制部８４とトリマー側規制部８３とが面接触状に接当するので、トリマーユニット３が揺動軸２８の周りに回動するのを確実に規制することができる。
【００８３】
先に説明したように、端子装着部４７は背面カバー３６の下端一側に配置されて片持ち梁状に支持されている。そのため、スライドノブ３３を繰り返し上下スライドする際に、端子装着部４７がスイッチ端子５０の弾性力で押上げられて、端子装着部４７が回路基板７から徐々に離れ、スイッチ端子５０と固定端子５１とが接触不良に陥るおそれがある。こうした接触不良を防いで、スイッチ端子５０と固定端子５１の接触状態を常に適正にするために、図１１に示すように、端子装着部４７と対向するノブ本体３５の内面に規制体８５を設け、その突端で端子装着部４７の前面を受止めている。
【００８４】
次に、主にスライドノブ３３の上下スライド動作と、これに伴うトリマーユニット３の姿勢切換え動作について説明する。スライドノブ３３がオフ位置にあるとき、トリマーユニット３は図１４に示すように、格納部３４に収容されて待機姿勢になっている。このとき、受動片７０の突端は、切換えカム体６２の下側に設けたガイド溝６３の上下中途部に位置している。この状態からスライドノブ３３をオン位置まで上方スライド操作すると、トリマーユニット３がスライドノブ３３に同行して、図１４に想像線で示す位置まで上昇する。このときの受動片７０は切換えカム体６２と、僅かな隙間を介して対向している。また、トリマーユニット３とともに上昇スライドしたスイッチ端子５０が、上下の固定端子５１を導通してモーター４に駆動電流を供給するので、刃部２の内刃１０が往復駆動される。
【００８５】
きわ剃りを行うために、スライドノブ３３をオン位置からトリマー位置へと押上げ操作すると、まず受動片７０の受動部７３が切換えカム体６２の第１カム面７４で受止められ、受動片７０が揺動軸２８の周りに回動してトリマーユニット３をケース前方へ傾動させる。このとき、揺動軸２８から最も離れた受動片７０の突端寄りが第１カム面７４で受止められるので、トリマーユニット３が回動するときのモーメントアームを大きくすることができ、従って、トリマーユニット３を軽快に前方傾動させることができる。受動片７０が回動を開始したのちは、受動部７３は第１カム面７４と第２カム面７５の隣接隅部で受止められて徐々に回動量を増し、図１５（ａ）に示すように、トリマーユニット３の傾動角度が４５度に達した時点で、受動部７３が第２カム面７５に接当する。
【００８６】
以後は、受動部７３に連続するトリマー側ストッパー７９が、第２カム面７５と本体側ストッパー７８の隣接隅部で受止められて、トリマーユニット３の全体が作動姿勢へ向かって跳ねあげ傾動される。スライドノブ３３がトリマー位置まで押上げ操作された状態では、図１０に示すようにトリマーユニット３は、その切刃部が水平に突出する作動姿勢となって、トリマー側ストッパー７９が本体側ストッパー７８で受け止められる。従って、トリマーユニット３が作動姿勢を越えて過剰に回動操作されることはなく、また、下向きの外力が作用したとしても、トリマーユニット３が下向きに回動することはなく、トリマーユニット３を安定した状態で作動姿勢に保持し続けることができる。
【００８７】
上記のように、トリマーユニット３を作動姿勢に切換えた状態においては、図１０に示すようにスライドノブ３３が最上端のトリマー位置までスライド変位し、背面カバー３６が駆動開口１８の前面を覆う。そのため、きわ剃り時に切断された毛屑が格納部３４内に入込むことがあったとしても、毛屑が駆動開口１８から本体ケース１の内部に入込むのをよく防止して、毛屑の進入に伴う衛生状態の悪化や、進入した毛屑が可動部分に付着して作動不良に陥るのを良く防止できる。また、駆動開口１８を介して本体ケース１の内部が視認されるのを良く防止して、使用状態における外観上の体裁を向上することができる。スライド変位する受動片７０の左右側面を、ガイド溝６３の溝側壁を利用してスライド案内し、受動片７０のスライド軌跡が左右に変動するのを規制するので、受動片７０を切換えカム体６２のカム面７２に適正に正対させて、トリマーユニット３の姿勢切換えを的確に行うことができる。
【００８８】
きわ剃りが終了したのち、スライドノブ３３をトリマー位置からオン位置側へ押下げ操作（下方スライド操作）すると、図１５（ｂ）に示すように、復帰受動片７１の受動部８２が復帰カム体６１に接当して、復帰受動片７１が揺動軸２８の周りに回動してトリマーユニット３を下向きに傾動させる。復帰受動片７１が回動を開始したのちの受動部８２は、復帰カム体６１と本体側規制部８４との隣接角部が受動部８２に接当して徐々に回動量を増す。以後は、スライドノブ３３がオン位置に達する間に、トリマーユニット３が揺動軸２８の周りに回動して、全体が格納部３４に収容される待機姿勢へ復帰する。この状態では、図１３に示すように、トリマー側規制部８３が本体側規制部８４で受止められるので、トリマーユニット３が待機姿勢を越えて過剰に回動操作されることはなく、また、上向きの外力が作用したとしても、トリマーユニット３が上向きに回動することはなく、トリマーユニット３を安定した状態で待機姿勢に保持し続けることができる。
【００８９】
以上のように、スライドノブ３３が上方スライドするとき受動片７０をカム面７２に接当させ、受動片７０を揺動軸２８の周りに回動させてトリマーユニット３の姿勢を作動姿勢に切換えるようにすると、リンクやレバーなどの中間伝動構造を使用する必要もなくトリマーユニット３の姿勢を確実に切換えることができる。また、トリマーユニット３の姿勢切換構造を著しく単純化してコストを削減できる。さらに、スライド動作を伝動するための中間伝動構造や連結構造を省略することができるので、落下衝撃などを受けて連結部分が分離する余地がなく、トリマーユニット３を常に円滑に起伏揺動できる、信頼性に優れた電気かみそりを提供できる。
【００９０】
図１７は切換えカム体６２の構造と受動片７０の構造を一部変更した別実施例を示している。そこでは、切換えカム体６２の下面にカム面７２を設け、切換えカム体６２の前面にカム面７２と直交する本体側ストッパー７８を設けて、上記の実施例における第２カム面７５を省略した。また、受動片７０を斜上方へ突設し、受動部７３の前側に隣接して逆三角形状の逃げ凹部９０を設けるようにした。逃げ凹部９０の斜辺同士が挟む角度は９０度とした。上記のように、切換えカム体６２をカム面７２と本体側ストッパー７８とで構成すると、受動部７３がカム面７２で僅かでも回動操作されると、以後は、受動片７０の上面がカム面７２と本体側ストッパー７８の隣接角部で受止められるため、トリマーユニット３が回動するときのモーメントアームが小さくなる。こうした不具合を避けるために、受動部７３の前側に隣接して逃げ凹部９０を設けて、トリマーユニット３が４５度回動するまでの間、受動部７３の前縁がカム面７２で受止められるようにしている。他は先の実施例と同じであるので、同じ部材に同じ符号を付してその説明を省略する。以下の実施例においても同じとする。
【００９１】
図１８は姿勢復帰構造の一部を変更した別の実施例を示している。そこでは、受動片７０と本体ケース１との間に復帰ばね９２を配置して、姿勢復帰構造とした。復帰ばね９２は引っ張りコイルばねで構成されており、その一端を本体ケース１側の固定連結部９３に掛止し、他端を受動部７３の突端寄りの可動連結部９４に掛止するようにした。固定連結部９３と可動連結部９４は、スライドノブ３３がオフ位置、オン位置、トリマー位置の各位置にあるときの、固定連結部９３と可動連結部９４との間の距離をＬ１、Ｌ２、Ｌ３とするとき、不等式（Ｌ２＜Ｌ１＜Ｌ３）を満足できる位置関係になるようにした。図１８（ａ）はスライドノブ３３がオフ位置にある状態を、図１８（ｂ）はスライドノブ３３がオン位置にある状態を、図１８（ｃ）はスライドノブ３３がトリマー位置にある状態を、それぞれ示している。
【００９２】
上記のように、固定連結部９３と可動連結部９４との間の距離を（Ｌ２＜Ｌ１＜Ｌ３）とすることにより、各位置における復帰ばね９２の張力を大小に変化させて、トリマーユニット３を復帰ばね９２の付勢力で揺動軸２８の周りに回動させて待機姿勢に戻すことができる。また、スライドノブ３３がオフ位置に位置している状態において、待機位置にあるトリマーユニット３を復帰ばね９２の付勢力で引っ張り付勢して、トリマーユニット３が揺動軸２８の周りに回動するのを、トリマー側規制部８３による回動規制作用と協同して規制できる。なお、スライドノブ３３がオン位置にある状態では、固定連結部９３と可動連結部９４との間の距離Ｌ２が最も小さいが、復帰ばね９２はこの状態でも小さなばね力を発揮して、トリマー側規制部８３を本体側規制部８４に密着させている。
【００９３】
上記の実施例では、受動片７０と復帰受動片７１を、トリマーベース２３の両側に配置したがその必要はなく、トリマーベース２３の背面側の任意の位置に配置することができる。とくに、トリマーベース２３の背面に、別途形成した蓋体を係合装着する場合には、蓋体の任意の位置に受動片７０と復帰受動片７１を設けることができる。揺動軸２８は、ノブ本体３５の側に設けることができ、その場合の軸受溝４０はトリマーベース２３の側に形成するとよい。カム面７２は、円弧面で形成することができ、あるいは複数の平面が連続する多数の角部を備えた平面で形成することができる。復帰ばね９２はねじリコイルばねや圧縮ばねなど、引っ張りコイルばね以外のばねで形成してあってもよい。
【００９４】
スライドノブ３３は上下スライドする以外に、左右スライドする形態や、斜めにスライドする形態であってもよい。また、スライドノブ３３はモーター４の起動スイッチを兼ねている必要はなく、単にトリマーユニット３を待機姿勢と作動姿勢に切換える姿勢切換えノブとして機能するものであってもよい。その場合には、モーター４の起動スイッチをスライドノブ３３とは別に設けておくとよい。
【符号の説明】
【００９５】
１  本体ケース
２  刃部
３  トリマーユニット
２１  固定刃
２２  可動刃
２３  トリマーベース
２８  揺動軸
３３  スライドノブ
３４  格納部
３５  ノブ本体
３６  背面カバー
４５  弾性ロック腕
４６  弾性腕
６１  復帰カム体
６２  切換えカム体
７０  受動片
７１  復帰受動片
７２  カム面
７３  受動部
【図１】
2015123344.tif 000003
【図２】
2015123344.tif 000004
【図３】
2015123344.tif 000005
【図４】
2015123344.tif 000006
【図５】
2015123344.tif 000007
【図６】
2015123344.tif 000008
【図７】
2015123344.tif 000009
【図８】
2015123344.tif 000010
【図９】
2015123344.tif 000011
【図１０】
2015123344.tif 000012
【図１１】
2015123344.tif 000013
【図１２】
2015123344.tif 000014
【図１３】
2015123344.tif 000015
【図１４】
2015123344.tif 000016
【図１５】
2015123344.tif 000017
【図１６】
2015123344.tif 000018
【図１７】
2015123344.tif 000019
【図１８】
2015123344.tif 000020